(57)【特許請求の範囲】
【請求項１】
連続用紙の搬送およびこの連続用紙へのプリント処理が可能なプリント処理部と、このプリント処理部を通過して下向きに供給されてくる連続用紙を受けるためのスタッカテーブルと、上記プリント処理部においてプリント処理が行われているときに上記スタッカテーブルを上下方向に往復動させるスタッカテーブル用の昇降動作手段と、を具備している、プリンタ装置であって、
上記昇降動作手段は、上記プリント処理部において連続用紙が所定量以上スキップ送りされるときには、上記スタッカテーブルを停止または下降させるように構成されていることを特徴とする、プリンタ装置。
【請求項２】
上記昇降動作手段は、上記プリント処理部において連続用紙の所定量以上のスキップ送りが開始されるときに、上記スタッカテーブルが所定高さ以上の場合には上記スタッカテーブルを下降させる一方、上記スタッカテーブルが所定高さよりも低い場合には上記スタッカテーブルを停止させるように構成されている、請求項１に記載のプリンタ装置。
【請求項３】
上記プリント処理部において連続用紙が所定量以上スキップ送りされるときには、そのスキップ送りが複数回のスキップ送りに分割されて実行されるように構成されている、請求項１または２に記載のプリンタ装置。
【請求項４】
連続用紙の搬送およびこの連続用紙へのプリント処理が可能なプリント処理部と、このプリント処理部を通過して下向きに供給されてくる連続用紙を受けるためのスタッカテーブルと、上記プリント処理部においてプリント処理が行われているときに上記スタッカテーブルを上下方向に往復動させるスタッカテーブル用の昇降動作手段と、を具備している、プリンタ装置であって、
上記プリント処理部において連続用紙が所定量以上スキップ送りされるときには、そのスキップ送りが、所定量以下のスキップ送りを一挙に実行する場合の搬送速度より低速での複数回のスキップ送りに分割されて実行されるように構成されていることを特徴とする、プリンタ装置。
【発明の詳細な説明】
【０００１】
【発明の属する技術分野】
本願発明は、長尺状の連続用紙にプリント処理を施すのに用いられるプリンタ装置、さらに詳しくは、連続用紙としてミシン目を備えたものを用いた場合に、プリント処理を終えた連続用紙をミシン目の位置において順次折り曲げながらスタッカテーブル上に積み重ねてゆくタイプのプリンタ装置に関する。
【０００２】
【従来の技術】
従来のプリンタ装置の一例を図６に示す。このプリンタ装置は、用紙ホッパ１０から引き出されたミシン目を備えた連続用紙５を、上下のトラクタ１１Ａ，１１Ｂによって搬送させるとともに、プラテンローラ１３に対向する印字ヘッド１２によってその連続用紙５に１行分ずつプリント処理を施すプリント処理部１を有している。このプリント処理部１の後段には、一対の送りローラ２１によって搬送されるプリント処理を終えた連続用紙５を積み重ねるようにして受け取るためのスタッカ部３が設けられている。スタッカ部３は、その上部に設けられている用紙排出口２２から下向きに排出される連続用紙５を受けるためのスタッカテーブル３０と、このスタッカテーブル３０を昇降させるための昇降動作機構３１とを有している。昇降動作機構３１は、たとえばスタッカテーブル３０に一部が連結され、かつ２つのプーリ３１ａ，３１ｂに掛け回されたベルト３１ｃをモータＭ３の駆動により上下方向に循環移動自在としたものである。ただし、この昇降動作機構３１は、プリント処理部１において連続用紙５へのプリント処理がなされているときには、スタッカテーブル３０が絶えず上昇または下降しているように、スタッカテーブル３０に上下方向の往復動作を繰り返して行わせるように構成されている。
【０００３】
上記構成のプリンタ装置においては、用紙排出口２２から連続用紙５が排出されているときには、スタッカテーブル３０が絶えず上昇または下降しているために、このスタッカテーブル３０の移動が用紙排出口２２から下向きに排出されている連続用紙５に適度な折り曲げ力、または伸び力を生じさせる。このような力は、連続用紙５をミシン目の位置で折れ曲がり易くする。したがって、上記構成のプリンタ装置によれば、スタッカテーブルを一定箇所に固定させているプリンタ装置や、スタッカテーブル上に積み重なった連続用紙の高さが高くなるに連れてスタッカテーブルを徐々に下降させるようにしただけのプリンタ装置よりも、連続用紙５をミシン目の位置において折り曲げる動作を確実なものにすることができる。
【０００４】
【発明が解決しようとする課題】
しかしながら、上記従来のプリンタ装置では、次のような不具合があった。
【０００５】
すなわち、プリンタ装置の実際の使用に際しては、連続用紙５へのプリント処理が常時一定の速度でなされているわけではなく、プリント処理部１において連続用紙５のスキップ送りがなされる場合がある。このスキップ送りは、印字ヘッド１２によるプリント処理を行うことなく連続用紙５を素通りさせる動作であるから、従来においては、このスキップ送りは、連続用紙５を所定量だけ連続して、しかも高速で紙送りすることによってなされていた。
【０００６】
一方、上記従来のプリンタ装置においては、上記したスキップ送りがなされているときにも、それとは無関係にスタッカテーブル３０の昇降動作が継続して行われていた。このため、スタッカテーブル３０が上昇する時期と、連続用紙５のスキップ送りがなされる時期とが丁度一致する場合がある。ところが、この場合には、図７に示すように、連続用紙５がスタッカテーブル３０に向けて連続してかつ高速で進行するのに対し、スタッカテーブル３０も連続用紙５に向けて進行するために、連続用紙５に作用する折り曲げ力が過度となり、連続用紙５がミシン目以外の箇所（符号Ｎ１で示す部分）において不当に折れ曲がってしまう場合があった。
【０００７】
本願発明は、このような事情のもとで考え出されたものであって、連続用紙のスキップ送りを実行するときにおいても、スタッカテーブルによって受けられる連続用紙をそのミシン目の位置において適切に折り曲げることが可能なプリンタ装置を提供することをその課題としている。
【０００８】
【発明の開示】
上記の課題を解決するため、本願発明では、次の技術的手段を講じている。
【０００９】
本願発明の第１の側面によって提供されるプリンタ装置は、連続用紙の搬送およびこの連続用紙へのプリント処理が可能なプリント処理部と、このプリント処理部を通過して下向きに供給されてくる連続用紙を受けるためのスタッカテーブルと、上記プリント処理部においてプリント処理が行われているときに上記スタッカテーブルを上下方向に往復動させるスタッカテーブル用の昇降動作手段と、を具備している、プリンタ装置であって、上記昇降動作手段は、上記プリント処理部において連続用紙が所定量以上スキップ送りされるときには、上記スタッカテーブルを停止または下降させるように構成されていることに特徴づけられる。
【００１０】
本願発明においては、プリント処理部において連続用紙が所定量以上スキップ送りされるときに、スタッカテーブルがこのスタッカテーブルに向けて下向きに供給されてくる連続用紙に向かって上昇する事態が生じないようにすることができる。したがって、従来とは異なり、スタッカテーブルに向けて供給されてくる連続用紙に過度の折り曲げ力が生じないようにすることができ、連続用紙がこの連続用紙に設けられているミシン目以外の箇所において不当に折れ曲がらないようにすることが可能となる。もちろん、連続用紙のスキップ送りがなされていない通常のプリント処理時においては、スタッカテーブルが上昇または下降しているために、この場合にも連続用紙がミシン目以外の箇所において不当に折れ曲がらないようにすることが可能である。
【００１１】
本願発明の好ましい実施の形態では、上記昇降動作手段は、上記プリント処理部において連続用紙の所定量以上のスキップ送りが開始されるときに、上記スタッカテーブルが所定高さ以上の場合には上記スタッカテーブルを下降させる一方、上記スタッカテーブルが所定高さよりも低い場合には上記スタッカテーブルを停止させるように構成されている。
【００１２】
このような構成によれば、スキップ送りがなされるときにスタッカテーブルを常に低い位置に配置させることができるために、スタッカテーブルの上方の空間領域を大きくとることができる。したがって、連続用紙のスキップ送り量がかなり多い場合であっても、スタッカテーブル上への連続用紙の供給を円滑に行わせることができる。
【００１３】
本願発明の第２の側面によって提供されるプリンタ装置は、連続用紙の搬送およびこの連続用紙へのプリント処理が可能なプリント処理部と、このプリント処理部を通過して下向きに供給されてくる連続用紙を受けるためのスタッカテーブルと、上記プリント処理部においてプリント処理が行われているときに上記スタッカテーブルを上下方向に往復動させるスタッカテーブル用の昇降動作手段と、を具備している、プリンタ装置であって、上記プリント処理部において連続用紙が所定量以上スキップ送りされるときには、そのスキップ送りが、所定量以下のスキップ送りを一挙に実行する場合の搬送速度より低速での複数回のスキップ送りに分割されて実行されるように構成されていることに特徴づけられる。
【００１４】
本願発明においては、連続用紙の所定量以上のスキップ送りが複数回のスキップ送りに分割されて実行されるために、そのスキップ送りは、連続用紙の紙送り動作が小量ずつ間欠的になされた動作となる。したがって、連続用紙のスキップ送りがなされるときには、従来とは異なり、連続用紙が長い寸法量にわたって高速でかつ連続的にスタッカテーブルに向けて供給されないようにすることができる。その結果、仮に、連続用紙のスキップ送りがなされる時期とスタッカテーブルが上昇する時期とが一致する場合であっても、連続用紙に過度の折り曲げ力が生じないようにすることができ、連続用紙がミシン目以外の箇所において不当に折れ曲がらないようにすることが可能となる。
【００１５】
本願発明の好ましい実施の形態では、本願発明の第１の側面によって提供されるプリンタ装置において、上記プリント処理部において連続用紙が所定量以上スキップ送りされるときには、そのスキップ送りが複数回のスキップ送りに分割されて実行されるように構成されている。
【００１６】
このような構成によれば、本願発明の第１の側面によって得られる効果と第２の側面によって得られる効果とが相乗した効果が得られることとなり、連続用紙がミシン目以外の箇所において不当に折れ曲がることを一層確実に防止することが可能となる。
【００１７】
本願発明のその他の特徴および利点については、以下に行う発明の実施の形態の説明から、より明らかになるであろう。
【００１８】
【発明の実施の形態】
以下、本願発明の好ましい実施の形態について、図面を参照しつつ具体的に説明する。
【００１９】
図１は、本願発明の第１の実施形態のプリンタ装置を示す概略正面図である。図２は、図１の右側面図である。なお、本願発明の実施形態を示す各図において、先に説明した従来の技術のプリンタ装置と同一部分については、同一符号で示している。
【００２０】
図１において、本願発明の第１の実施形態のプリンタ装置Ｐは、プリント処理部１、連続用紙の引き込み搬送部２、スタッカ部３、制御部４、および２つのセンサ６Ａ，６Ｂを具備して構成されている。
【００２１】
プリント処理部１は、つづら折りにされた連続用紙５を収容するための用紙ホッパ１０、この用紙ホッパ１０から上方に引き出された連続用紙５を搬送するための上下のトラクタ１１Ａ，１１Ｂ、これら２つのトラクタ１１Ａ，１１Ｂの間において連続用紙５への画像のプリント出力を行う印字ヘッド１２、およびこの印字ヘッド１２に対向して設けられたプラテンローラ１３を有している。連続用紙５は、図示されていないミシン目を備えている。このミシン目は、連続用紙５の幅方向に延びており、かつ連続用紙５の長手方向に一定間隔で多数箇所設けられている。連続用紙５の長手方向に延びる両側縁部のそれぞれには、図示されていない多数の送り穴が一定ピッチで設けられている。トラクタ１１Ａ，１１Ｂは、上記多数の送り穴に順次係入する突起を備えた駆動回転自在なベルトまたはローラを具備して構成されたものであり、たとえばベルト７ａ，７ｂを介してこれらトラクタ１１Ａ，１１Ｂと連結されている第１のモータＭ１をその駆動源としている。
【００２２】
印字ヘッド１２としては、たとえばインパクトタイプのドットプリント方式のものが用いられている。印字ヘッド１２および第１のモータＭ１の駆動は、制御部４によって制御されている。この制御部４の制御により、プリント処理部１においては、トラクタ１１Ａ，１１Ｂによって連続用紙５を所定ピッチ（プリント画像の１行分のピッチ）で間欠的に紙送りさせながら、その紙送りの停止時に印字ヘッド１２が駆動することにより、連続用紙５へのプリント処理が順次行われるように構成されている。プリント処理を行う必要がない場合の連続用紙５のスキップ送りも、制御部４の制御によって行われる。
【００２３】
引き込み搬送部２は、プリント処理部１を通過した連続用紙５を一対の送りローラ２１によってスタッカ部３に向けて搬送するための部分である。一対の送りローラ２１は、その一方または双方が制御部４によって制御される第２のモータＭ２によって駆動回転自在であり、プリント処理部１における紙送り量と一対の送りローラ２１による紙送り量とが同等となるように制御されている。引き込み搬送部２には、連続用紙５をガイドするためのガイド板２０が設けられており、連続用紙５はスタッカ部３に対してその上部に設けられた用紙排出口２２から下向きに排出されるようになっている。
【００２４】
スタッカ部３は、スタッカテーブル３０と、このスタッカテーブル３０を用紙排出口２２の下方において昇降させるためのスタッカテーブル用の昇降動作機構３１とを有している。昇降動作機構３１は、スタッカ部３の上方または上部において第３のモータＭ３によって駆動回転されるプーリ３１ａとスタッカ部３の底部に設けられたプーリ３１ｂとの間にベルト３１ｃを掛け回して構成されたベルト駆動機構として構成されており、ベルト３１ｃの一部がスタッカテーブル３０に固定連結されていることにより、スタッカテーブル３０はベルト３１ｃに伴って昇降するようになっている。昇降動作機構３１は、第３のモータＭ３の駆動が制御部４によって制御されることにより、後述するように、プリント処理部１との関係においてスタッカテーブル３０の昇降動作やその停止動作を行うように構成されている。
【００２５】
センサ６Ａ，６Ｂは、たとえば非接触方式で物体の存在を検知可能な光センサであり、スタッカテーブル３０が昇降する領域の側方に設けられている。図２によく表れているように、センサ６Ａは、スタッカテーブル３０が上昇し、その上面に載せられている連続用紙５の最上面５ａ（連続用紙５が載せられていない場合にはスタッカテーブル３０の上面）が一定高さＨａに達したときに、これを検知してその検知信号を制御部４に送出するものである。センサ６Ｂは、スタッカテーブル３０が下降し、スタッカテーブル３０の底面３０ａが一定高さＨｂに達したときに、これを検知してその検知信号を制御部４に送出するものである。
【００２６】
制御部４は、ＣＰＵや各種のメモリを備えたマイクロコンピュータなどを具備して構成されたものであり、既に述べた制御に加え、昇降動作機構３１に対しては次のような制御を行うように構成されている。すなわち、制御部４は、プリント処理部１において通常のプリント処理を実行させているときには、スタッカテーブル３０が上下方向の往復動作を繰り返して行うように、第３のモータＭ３の正転と逆転との切替え制御を行う構成とされている。この第３のモータＭ３の正転と逆転の切替えは、制御部４がセンサ６Ａ，６Ｂからの検知信号を受信する都度行われる。したがって、スタッカテーブル３０は、高さＨａ，Ｈｂのそれぞれを上限および下限とする昇降動作を行うこととなる。
【００２７】
制御部４は、プリント処理部１において連続用紙５の所定量以上のスキップ送りを開始させるときには、その時点においてスタッカテーブル３０を停止または下降させる制御を行うように構成されている。ここで、上記所定量とは、プリンタ装置Ｐの製作者などが任意に選択できる値であり、たとえばプリント画像の数行分あるいは十数行分程度に相当する連続用紙の送り量とすることができる。制御部４がスタッカテーブル３０を停止または下降させる制御について、より具体的に説明すると、本実施形態においては、連続用紙５の所定量以上のスキップ送りが開始されるときに、スタッカテーブル３０が所定高さ以上の高さに存在する場合には、その後スタッカテーブル３０が下降するように、制御部４は昇降動作機構３１を制御する構成となっている。これに対し、上記スキップ送りが開始されるときに、スタッカテーブル３０が下限高さＨｂまたはその近傍に位置し、その高さが所定高さよりも低い場合には、その後スタッカテーブル３０がその位置に停止するように、制御部４は昇降動作機構３１を制御する構成となっている。制御部４は、第３のモータＭ３の駆動を制御するものであって、この制御部４に第３のモータＭ３の駆動軸の回転量を把握させることができるために、スタッカテーブル３０の実際の高さをリアルタイムで検出するための機器を用いることなく、スタッカテーブル３０の高さを制御部４において判断させることが可能である。
【００２８】
次に、上記構成のプリンタ装置Ｐの作用について説明する。
【００２９】
まず、プリント処理部１において連続用紙５に通常のプリント処理が実行されているときには、スタッカテーブル３０は、上限高さＨａと下限高さＨｂとの範囲内において上昇と下降とを繰り返している。従来の技術の欄において既に述べたとおり、スタッカテーブル３０にこのような昇降動作を行わせれば、用紙排出口２２からスタッカテーブル３０に向けて一定の速度で間欠的に送られてくる連続用紙５に適度な折り曲げ力や伸び力を与えることができ、連続用紙５をミシン目の位置において適切に折り曲げることができる。
【００３０】
次いで、プリント処理部１において連続用紙５が所定量以上スキップ送りされる場合には、次のような動作を生じる。すなわち、たとえばスキップ送りが開始される時点において、図１に示すように、スタッカテーブル３０が下限高さＨｂまたはその近傍に位置し、その高さが所定高さよりも低い場合には、スタッカテーブル３０がそれ以前に上昇および下降のいずれの動作にあったか否かには関係なく、スタッカテーブル３０はその位置に停止する。このスタッカテーブル３０の停止は、上記スキップ送りが終了するまで継続してなされる。このようにすれば、スキップ送りがなされることによって用紙排出口２２から連続用紙５が高速で排出されるときに、この連続用紙５に向かってスタッカテーブル３０が上昇しないようにできるために、用紙排出口２２から排出される連続用紙５に過度の折り曲げ力を発生させないようにして、連続用紙５がミシン目以外の位置において折れ曲がらないようにすることができる。その結果、スタッカテーブル３０上には、ミシン目において折り曲げられた連続用紙５を整然と積み上げてゆくことができる。
【００３１】
また、スタッカテーブル３０を下限高さＨｂまたはその近傍に停止させておけば、スタッカテーブル３０上の連続用紙５の最上面５ａと用紙排出口２２との間の空間スペースを大きくとることができる。このため、用紙排出口２２から排出された連続用紙５が上記最上面５ａに即座に突き当たって過大な折り曲げ力を受けないようにすることもできる。したがって、連続用紙５がミシン目以外の箇所において折れ曲がることを一層確実に防止することが可能となる。
【００３２】
上記とは異なり、たとえば図３に示すように、連続用紙５の所定量以上のスキップ送りが開始されるときに、スタッカテーブル３０が所定高さよりも高い位置に存在する場合には、スタッカテーブル３０はその後下限高さまで下降する。このスタッカテーブル３０の下降は、やはりスタッカテーブル３０がそれ以前の段階において上昇および下降のいずれの動作にあったか否かには関係なく行われる。したがって、スタッカテーブル３０が上昇していた場合には、その上昇動作が停止されてから下降動作に移行することとなる。また、スタッカテーブル３０が下降していた場合には、その下降動作がそのまま継続されることとなる。スタッカテーブル３０は、その下降の結果下限高さＨｂまで到達した場合には、上記スキップ送りが終了するまでその位置に停止する。
【００３３】
このように、連続用紙５のスキップ送りがなされるときにスタッカテーブル３０を下降させると、スタッカテーブル３０を停止させた場合と同様に、用紙排出口２２から高速で排出される連続用紙５に過度の折り曲げ力を生じさせないようにすることができ、連続用紙５がミシン目以外の箇所において折れ曲がらないようにことができる。また、スタッカテーブル３０が下降することによって、スタッカテーブル３０上の連続用紙５の最上面５ａと用紙排出口２２との間の空間スペースを徐々に広げてゆくことができるために、やはり用紙排出口２２から排出された連続用紙５が上記最上面５ａに即座に突き当たらないようにすることが可能となる。なお、上記したスタッカテーブル３０の停止または下降動作は、スキップ送りが終了した時点で解除される。そして、その後プリント処理部１において通常のプリント処理が開始されると、スタッカテーブル３０は上下方向の往復動作を再開することとなる。
【００３４】
上記実施形態では、連続用紙５の所定量以上のスキップ送りが開始されるときのスタッカテーブル３０の高さに応じて、スタッカテーブル３０を停止させ、または下降させるようにしているが、本願発明はこれに限定されない。
【００３５】
本願発明では、たとえば連続用紙５のスキップ送りが開始されるときのスタッカテーブル３０の高さには関係なく、スタッカテーブル３０をその時点の高さに一律に停止させるようにしてもかまわない。また、本願発明では、そのような構成に代えて、たとえば連続用紙５のスキップ送りがなされるときには、スタッカテーブル３０が下限高さに存在する場合を除き、スタッカテーブル３０を一律に下降させるようにしてもかまわない。このような構成にした場合であっても、スキップ送りによって用紙排出口２２から高速で排出される連続用紙５に向けてスタッカテーブル３０が上昇しないようにできるために、連続用紙５がミシン目以外の箇所において不当に折れ曲がることを防止することができる。
【００３６】
さらに、本願発明では、連続用紙５のスキップ送りが開始されるときに、スタッカテーブル３０が上昇と下降とのいずれの動作途中であったかにより、スタッカテーブル３０を停止および下降のいずれにするかを決定してもよい。すなわち、たとえば連続用紙５のスキップ送りが開始されるとき、スタッカテーブル３０が下降していた場合には、スタッカテーブル３０をそのまま下降させる一方、スタッカテーブル３０が上昇していた場合には、スタッカテーブル３０を停止させ、または停止後に下降させるようにしてもかまわない。このように、本願発明では、連続用紙が所定量以上スキップ送りされるときに、スタッカテーブルが停止および下降のいずれかとなるように構成されていればよい。
【００３７】
次に、本願発明の第２の実施形態について説明する。
【００３８】
本願発明の第２の実施形態のプリンタ装置の機械的な構造は、図１および図２に示した第１の実施形態のプリンタ装置Ｐと同様である。したがって、第２の実施形態についても、図１および図２を参照して説明する。ただし、第２の実施形態のプリンタ装置は、第１の実施形態の制御部４に代えて、これとは異なる構成の制御部４Ａを有している。
【００３９】
すなわち、制御部４Ａは、プリント処理部１に連続用紙５の所定量以上のスキップ送りを実行させるときには、図４において実線で示すように、たとえばｎ１〜ｎ４の複数回のスキップ送りに分割して実行させるように構成されている。同図において破線で示すスキップ送りｎは、従来例に相当するものであり、連続用紙５のスキップ送りを一挙に行っている。ｎ１〜ｎ４の複数回のスキップ送りは、連続用紙５のスキップ送りを一挙に行う場合と比較すると、連続用紙５の搬送速度が低速であり、しかもその搬送は間欠的になされている。なお、本願発明では、分割して実行されるスキップ送りの回数は複数であればよく、その具体的な回数はとくに限定されるものではない。また、分割して実行される各スキップ送りの時間は、等間隔とすることが好ましいものの、やはりこれに限定されず、不等間隔であってもかまわない。
【００４０】
このような構成のプリンタ装置においては、プリント処理部１において連続用紙５の所定量以上のスキップ送りがなされるときに、用紙排出口２２からスタッカテーブル３０に向けて連続用紙５が一挙に供給されないようにすることができる。したがって、仮にスタッカテーブル３０が上昇動作途中において連続用紙５のスキップ送りがなされ、そのままスタッカテーブル３０の上昇動作が継続されても、スタッカテーブル３０に向けて供給される連続用紙５が低速になる分だけ、この連続用紙５に過度の折り曲げ力が発生しないようにすることができる。その結果、連続用紙５がミシン目以外の箇所で折り曲がらないようにすることが可能となる。
【００４１】
もちろん、本願発明の第２の実施形態のプリンタ装置において、本願発明の第１の実施形態の場合と同様に、連続用紙５のスキップ送りがなされているときにスタッカテーブル３０を停止または下降させるようにすれば、連続用紙５がミシン目以外の箇所で折り曲がることを一層確実に防止することが可能となる。また、図５に示すように、スタッカテーブル３０上において折り畳まれた連続用紙５の厚みｔが大きくなると、その連続用紙５の最上面５ａと用紙排出口２２との間の距離を大きくとることが難しくなる場合がある。このような場合に、連続用紙５のスキップ送りが複数回に分割して実行されると、スタッカテーブル３０上の連続用紙５の最上面５ａに対して用紙排出口２２から排出される連続用紙５が大きな力で衝突することを回避することが可能となり、ミシン目以外の箇所で連続用紙５が折り曲げられることを防止するのにより好ましいものとなる。
【００４２】
本願発明に係るプリンタ装置の各部の具体的な構成は、上述した実施形態に限定されず、種々に設計変更自在である。
【００４３】
スタッカテーブル用の昇降動作手段は、ベルトを利用した昇降動作機構に限らず、たとえば往復シリンダやリニアモータなどを用いた機構、あるいはその他の種々の機構を用いた構成とすることができる。また、本願発明では、印字ヘッドとしては種々のものを用いることができ、インパクト方式とノンインパクト方式とのいずれのプリンタ装置としても構成することができる。
【００４４】
さらに、連続用紙のミシン目は、プリンタ装置によって連続用紙を搬送している途中において設けることが可能であるから、連続用紙としては、必ずしも当初からミシン目を備えたものが用いられる必要もない。なお、本願発明でいうミシン目とは、多数の針穴が点線状に並ぶように設けられたものに限らず、たとえば一定の長さを有する直線状の切れ目が断続的に複数並ぶように設けられたもの、あるいは１または複数の直線状の切れ目と複数の針穴とが組み合わされたものなど、連続用紙の切り取りを容易にするための穴または切れ目を有する切り取り線全般を含む広い概念のものである。
【００４５】
【発明の効果】
以上の説明のように、本願発明によれば、連続用紙の所定量以上のスキップ送りが実行されるときには、スタッカテーブルを停止または下降させることにより、スタッカテーブルに向けて下向きに搬送される連続用紙に向かってスタッカテーブルが上昇しないようにすることができるために、連続用紙がミシン目以外の箇所において不当に折れ曲がることを防止することが可能となり、スタッカテーブル上に連続用紙を整然と積み重ねることができる。また、本願発明によれば、連続用紙の所定量以上のスキップ送りが実行されるときには、そのスキップ送りが複数回のスキップ送りに分割されてなされることによっても、スタッカテーブルに向けて搬送される連続用紙がミシン目以外の箇所において不当に折れ曲がらないようにすることができる。
【図面の簡単な説明】
【図１】本願発明の第１の実施形態のプリンタ装置を示す概略正面図である。
【図２】図１の右側面図である。
【図３】プリンタ装置の動作状態の一例を示す要部概略正面図である。
【図４】本願発明の第２の実施形態のプリンタ装置における連続用紙のスキップ送り動作を示すタイムチャートである。
【図５】プリンタ装置の動作状態の他の例を示す要部概略正面図である。
【図６】従来のプリンタ装置の一例を示す概略正面図である。
【図７】従来のプリンタ装置において連続用紙に不当な折れ曲がりが生じる状態を示す要部概略正面図である。
【符号の説明】
Ｐ  プリンタ装置
１  プリント処理部
２  引き込み搬送部
３  スタッカ部
４，４Ａ  制御部
５  連続用紙
６Ａ，６Ｂ  センサ
３０  スタッカテーブル
３１  昇降動作機構（昇降動作手段）
【図１】
0003866437.tif 000002
【図２】
0003866437.tif 000003
【図３】
0003866437.tif 000004
【図４】
0003866437.tif 000005
【図５】
0003866437.tif 000006
【図６】
0003866437.tif 000007
【図７】
0003866437.tif 000008